(57)【要約】【課題】現在視聴中の放送ネットワークとは異なる放送ネットワークのチャンネルを視聴する場合でも、そのような選局操作を容易化することができ、それらの選局操作上で使用者が受ける不快感や惑わせることを回避することができるテレビ制御方法を提供する。【解決手段】テレビ受信機でチャンネルキーのリモコンコードを受信した時に、そのリモコンコードが、現在視聴中の放送ネットワークとは異なる放送ネットワークのチャンネルコードである場合に、メッセージを出して使用者に選択させることにより、視聴中以外の放送ネットワークを選局する。【選択図】図１３
2006060627.tif 000002
【特許請求の範囲】
【請求項１】
リモートコントローラでの選局により複数の放送ネットワーク上のチャンネルが視聴可能なテレビ受信機において、前記リモートコントローラによる前記複数の放送ネットワークからの視聴チャンネルの選局を制御するテレビ制御方法であって、前記リモートコントローラから受信したコードが、各放送ネットワークから視聴チャンネルを選局するためのチャンネルキーに対応したチャンネルコードである場合に、前記受信したチャンネルコードに基づく選局動作の前に、前記テレビ受信機により現在視聴している放送ネットワークを確認するステップと、前記受信したチャンネルコードが、前記現在視聴中の放送ネットワークと異なっているかを判断するステップと、前記受信したチャンネルコードと前記現在視聴中の放送ネットワークとが異なっている場合には、前記受信したチャンネルコードを無効化するステップとを有することを特徴とするテレビ制御方法。
【請求項２】
請求項１記載のテレビ制御方法であって、前記テレビ受信機にオンスクリーン表示機能または／かつ音声出力機能を持たせ、前記受信したチャンネルコードと前記現在視聴中の放送ネットワークとが異なっている場合には、前記放送ネットワークが異なっている旨、または／かつ前記リモートコントローラにより前記放送ネットワークを切換えるためのネットワークキーを操作した後にチャンネルキーを操作する旨を、使用者に通知するステップを有することを特徴とするテレビ制御方法。
【請求項３】
請求項２記載のテレビ制御方法であって、前記受信したチャンネルコードと前記現在視聴中の放送ネットワークとが異なっている場合には、前記ネットワークキーを操作した後に前記チャンネルキーを操作する旨を通知する前に、放送ネットワークを変えて選局してよいかを使用者に確認するための通知を行い、使用者が前記放送ネットワークを変えた選局を許可した場合は、前記放送ネットワークを変えて選局し、使用者が前記放送ネットワークを変えた選局を不許可とした場合は、前記ネットワークキーを操作する旨を、使用者に通知するステップを有することを特徴とするテレビ制御方法。
【請求項４】
請求項２または請求項３記載のテレビ制御方法であって、前記各種通知をオンスクリーン表示した後に、予め決めた一定時間の間、前記リモートコントローラまたは前記テレビ受信機側のキー操作が無かった場合は、前記受信したチャンネルコードの放送ネットワークかつチャンネルを選局するステップを有することを特徴とするテレビ制御方法。
【請求項５】
請求項２または請求項３記載のテレビ制御方法であって、前記受信したチャンネルコードを記憶しておき、前記ネットワークキーが操作された場合に、そのネットワークキーが示す放送ネットワークが、前記記憶しておいたチャンネルコードと同じ放送ネットワークの場合は、前記ネットワークキーにより操作された放送ネットワークに切換え、かつ前記記憶しておいたチャンネルを選局するステップを有することを特徴とするテレビ制御方法。
【請求項６】
請求項１から請求項５のいずれかに記載のテレビ制御方法であって、前記複数の放送ネットワークは、地上波アナログ放送、地上波デジタル放送、ＢＳデジタル放送、１１０度ＣＳデジタル放送のうちの少なくとも２波以上であることを特徴とするテレビ制御方法。
【発明の詳細な説明】
【技術分野】
【０００１】
本発明は、複数の放送ネットワーク上のチャンネルが受信可能なテレビ受信機のチャンネル選局の際のテレビ制御方法に関するものである。
【背景技術】
【０００２】
近年では、テレビ受信機として、地上波アナログ放送、ＢＳデジタル放送、１１０度ＣＳデジタル放送を共用で受信できるものが広く市場に出回っており、さらに２００３年１２月からは、地上波デジタル放送も開始され、この地上波デジタル放送をも含めて共用で受信できる放送形式が増えている。
【０００３】
このような状況の中、図２（ａ）に示すように、地上波デジタル放送対応テレビ受信機のリモートコントローラ（リモコン）は、各放送ネットワークで使用する共用のチャンネルキー（１〜１２）と、放送ネットワークを切換えるための放送ネットワークキー（地上Ａ：地上波アナログ放送選択用、地上Ｄ：地上波デジタル放送選択用、ＢＳＤ：ＢＳデジタル放送選択用、ＣＳＤ：１１０度ＣＳデジタル放送選択用）とで構成されており、さらに、リモートコントローラ側は、図２（ｂ）に示すように、最後に操作された放送ネットワークを記憶し、チャンネルキーが押下されると、最後に操作された放送ネットワークの該当チャンネルのコードを、テレビ受信機に送信して選局する方法をとっている。
【０００４】
一方、テレビ受信機側では、図３に示すように、テレビ制御部処理として、ＳＴＥＰ３１でイベントの発生を待ち、受信すればＳＴＥＰ３２に移り、イベントの発生元とイベントの内容を確認する。イベントがリモートコントローラからのものであるが、チャンネルを示す数字キーでないならばＳＴＥＰ３４に移る。ＳＴＥＰ３４でリモートコントローラの放送ネットワークの切換え用キーかを確認し、放送ネットワークの切換え用キーであればＳＴＥＰ３５に移り、切換え用キーのコードに従って放送ネットワークを切換え、ＳＴＥＰ３６で現在視聴中の放送ネットワークおよびチャンネルを記憶する。一方、ＳＴＥＰ３２でイベントがリモートコントローラからのものであり、かつチャンネルを示す数字キーであればＳＴＥＰ３３に移り、イベントが指定する放送ネットワークのチャンネルを示す数字キーと同じ番号のプリセットテーブルから、その選局データを取得して、対応するチャンネルに切換えた後にＳＴＥＰ３６の処理を実行する。また、ＳＴＥＰ３４で放送ネットワークの切換え用キーでないならばＳＴＥＰ３７に移り、その他のリモコンキーの処理を実行する。以上の処理の後にＳＴＥＰ３１へ戻り、上記の処理を繰り返すように動作する。
【０００５】
また、先行技術（例えば、特許文献１を参照）として、放送ネットワークではないが、モ−ド選択スイッチを操作して、所望のリモコン操作すべき電子機器を選択しているが、モード選択スイッチが、上記の放送ネットワークキーに相当する。
【特許文献１】特開昭６２−１８５４９８号公報
【発明の開示】
【発明が解決しようとする課題】
【０００６】
しかしながら上記のような従来の技術では、リモートコントローラとテレビ受信機とがそれぞれ個別に放送ネットワークを記憶しているが、リモートコントローラ側で、テレビ受信機に現在どの放送ネットワークが記憶されているかを明示していないために、リモートコントローラを用いて選局しなかった場合、例えば、テレビ受信機のフロントパネルキーを操作して選局した場合や、テレビ受信機内で予約の内容に従った処理が実行された場合などには、リモートコントローラ側とテレビ受信機側で記憶している放送ネットワークが異なる状態になってしまう。
【０００７】
例えば、図４（ａ）に示すように、リモートコントローラ側に「ＢＳＤ」が記憶され、テレビ受信機側に「地上Ｄ」が記憶されているというような状態が発生する。この状態で、使用者が、リモートコントローラを用いて現在視聴中の放送ネットワーク「地上Ｄ」上で他のチャンネル「３」を選局するために、リモートコントローラ側のチャンネルキー「３」のみを押下すると、リモートコントローラ側に放送ネットワークとして「ＢＳＤ」が記憶されているため、テレビ受信機側は「ＢＳＤ３」を選局してしまい、使用者が希望している放送ネットワークのチャンネルを選局できないことになる。
【０００８】
また一方、使用者が、リモートコントローラを用いて現在視聴中の放送ネットワーク「地上Ｄ」上で他のチャンネル「３」を選局する場合には、図４（ｂ）に示すように、リモートコントローラ側の放送ネットワークを、１度「ＢＳＤ」から「地上Ｄ」に切換える必要があり、リモートコントローラ側の放送ネットワークを「地上Ｄ」に切換えた後に、リモートコントローラ側のチャンネルキー「３」を押下するというように、使用者が選局したいチャンネルに行き着くまでに、リモートコントローラ側で選局のために必要なキーを複数回押下しなければ、使用者が希望している放送ネットワークのチャンネルを選局できないことになる。
【０００９】
以上のように、リモートコントローラを用いて、現在視聴中の放送ネットワーク上で他のチャンネルを視聴する場合や、現在視聴中の放送ネットワークとは異なる放送ネットワークのチャンネルを視聴する場合などに、そのための選局操作上で使用者に不快感を与えたり、惑わせたりするという問題点を有していた。
【００１０】
本発明は、上記従来の問題点を解決するもので、リモートコントローラを用いて、現在視聴中の放送ネットワーク上で他のチャンネルを視聴する場合や、現在視聴中の放送ネットワークとは異なる放送ネットワークのチャンネルを視聴する場合でも、そのような選局操作を容易化することができ、それらの選局操作上で使用者が受ける不快感や惑わせることを回避することができるテレビ制御方法を提供する。
【課題を解決するための手段】
【００１１】
上記の課題を解決するために、本発明の請求項１に記載のテレビ制御方法は、リモートコントローラでの選局により複数の放送ネットワーク上のチャンネルが視聴可能なテレビ受信機において、前記リモートコントローラによる前記複数の放送ネットワークからの視聴チャンネルの選局を制御するテレビ制御方法であって、前記リモートコントローラから受信したコードが、各放送ネットワークから視聴チャンネルを選局するためのチャンネルキーに対応したチャンネルコードである場合に、前記受信したチャンネルコードに基づく選局動作の前に、前記テレビ受信機により現在視聴している放送ネットワークを確認するステップと、前記受信したチャンネルコードが、前記現在視聴中の放送ネットワークと異なっているかを判断するステップと、前記受信したチャンネルコードと前記現在視聴中の放送ネットワークとが異なっている場合には、前記受信したチャンネルコードを無効化するステップとを有する方法としたことを特徴とする。
【００１２】
また、本発明の請求項２に記載のテレビ制御方法は、請求項１記載のテレビ制御方法であって、前記テレビ受信機にオンスクリーン表示機能または／かつ音声出力機能を持たせ、前記受信したチャンネルコードと前記現在視聴中の放送ネットワークとが異なっている場合には、前記放送ネットワークが異なっている旨、または／かつ前記リモートコントローラにより前記放送ネットワークを切換えるためのネットワークキーを操作した後にチャンネルキーを操作する旨を、使用者に通知するステップを有する方法としたことを特徴とする。
【００１３】
また、本発明の請求項３に記載のテレビ制御方法は、請求項２記載のテレビ制御方法であって、前記受信したチャンネルコードと前記現在視聴中の放送ネットワークとが異なっている場合には、前記ネットワークキーを操作した後に前記チャンネルキーを操作する旨を通知する前に、放送ネットワークを変えて選局してよいかを使用者に確認するための通知を行い、使用者が前記放送ネットワークを変えた選局を許可した場合は、前記放送ネットワークを変えて選局し、使用者が前記放送ネットワークを変えた選局を不許可とした場合は、前記ネットワークキーを操作する旨を、使用者に通知するステップを有する方法としたことを特徴とする。
【００１４】
また、本発明の請求項４に記載のテレビ制御方法は、請求項２または請求項３記載のテレビ制御方法であって、前記各種通知をオンスクリーン表示した後に、予め決めた一定時間の間、前記リモートコントローラまたは前記テレビ受信機側のキー操作が無かった場合は、前記受信したチャンネルコードの放送ネットワークかつチャンネルを選局するステップを有する方法としたことを特徴とする。
【００１５】
また、本発明の請求項５に記載のテレビ制御方法は、請求項２または請求項３記載のテレビ制御方法であって、前記受信したチャンネルコードを記憶しておき、前記ネットワークキーが操作された場合に、そのネットワークキーが示す放送ネットワークが、前記記憶しておいたチャンネルコードと同じ放送ネットワークの場合は、前記ネットワークキーにより操作された放送ネットワークに切換え、かつ前記記憶しておいたチャンネルを選局するステップを有する方法としたことを特徴とする。
【００１６】
また、本発明の請求項６に記載のテレビ制御方法は、請求項１から請求項５のいずれかに記載のテレビ制御方法であって、前記複数の放送ネットワークは、地上波アナログ放送、地上波デジタル放送、ＢＳデジタル放送、１１０度ＣＳデジタル放送のうちの少なくとも２波以上とする方法としたことを特徴とする。
【００１７】
以上により、リモコンコードが、現在視聴中の放送ネットワークとは異なる放送ネットワークのチャンネルコードである場合に、テレビ受信機側にメッセージを出して使用者に選択させることにより、他の放送ネットワークのチャンネルを選局することができる。
【発明の効果】
【００１８】
以上のように本発明によれば、リモコンコードが、現在視聴中の放送ネットワークとは異なる放送ネットワークのチャンネルコードである場合に、テレビ受信機側にメッセージを出して使用者に選択させることにより、他の放送ネットワークのチャンネルを選局することができる。
【００１９】
また、使用者により一度押下されたチャンネルキーを記憶しておくことにより、使用者が次の放送ネットワークへ切換えて視聴する場合に、放送ネットワークキーを用いて次の放送ネットワークへの切換え操作を行うだけで、使用者が希望するチャンネルを選局することができる。
【００２０】
そのため、リモートコントローラを用いて、現在視聴中の放送ネットワーク上で他のチャンネルを視聴する場合や、現在視聴中の放送ネットワークとは異なる放送ネットワークのチャンネルを視聴する場合でも、そのような選局操作を容易化することができ、それらの選局操作上で使用者が受ける不快感や惑わせることを回避することができる。
【発明を実施するための最良の形態】
【００２１】
以下、本発明の実施の形態を示すテレビ制御方法について、図面を参照しながら具体的に説明する。
はじめに、本実施の形態のテレビ制御方法による基本的な動作について、以下に説明する。
【００２２】
第１の発明のテレビ制御方法による選局制御処理を実行するテレビ受信機は、映像／音声による地上波放送電波を受信する地上波アナログ用のＵＨＦ／ＶＨＦアンテナおよび地上波デジタル用のＵＨＦアンテナと、地上アナログチューナおよび地上デジタルチューナと、映像／音声によるＢＳデジタル放送電波を受信するＢＳデジタルアンテナと、ＢＳデジタルチューナと、映像／音声によるＣＳデジタル放送電波を受信するＣＳデジタルアンテナと、ＣＳデジタルチューナと、各チューナからの映像／音声信号を切換える映像／音声入力切換部と、音声を出力するスピーカと、映像信号を処理する映像信号処理部と、テレビの制御を行うテレビ制御部と、動作モードを記憶する記憶装置と、リモートコントローラ（リモコン）からの送信コードを解読するためのリモコンコード解読部と、テレビ制御部からの指示でオンスクリーン表示を行うオンスクリーン表示処理部と、時間管理を行うタイマー制御部と、イベント発生元やイベントの種類を判断するイベント管理部と、映像やオンスクリーン（ＯＳＤ）を表示する表示装置と、オンスクリーン表示処理部のＯＳＤと映像との合成を行う映像合成処理部とで構成され、リモートコントローラから送信されたチャンネルコードの放送コードを判断し、現在視聴中の放送ネットワークと異なっている場合は、受け付けたチャンネルコードによる動作を行わないという作用を有する。
【００２３】
また、第２の発明のテレビ制御方法による選局制御処理を実行するテレビ受信機は、上記第１の発明において、受け付けたチャンネルコードが、現在視聴中の放送ネットワークと異なっている場合に、オンスクリーン表示機能または／かつ音声出力機能を用いて、放送ネットワークが異なっている旨または／かつネットワークキーを操作した後にチャンネルキーを操作する旨を使用者に通知するという作用を有する。
【００２４】
また、第３の発明のテレビ制御方法による選局制御処理を実行するテレビ受信機は、上記第２の発明において、ネットワークを変えて選局してよいか使用者に確認する機能を有し、使用者が選局してよいと決定された場合は、ネットワークを変えて選局し、選局してはいけないと決定された場合は、ネットワークキーを操作する旨を表示するという作用を有する。
【００２５】
また、第４の発明のテレビ制御方法による選局制御処理を実行するテレビ受信機は、上記第２および第３の発明において、メッセージをオンスクリーン表示した後、一定の時間、リモートコントローラまたはテレビ装置本体のキー操作が無かった場合は、受け付けたチャンネルコードの放送ネットワークかつチャンネルを選局する作用を有する。
【００２６】
また、第５の発明のテレビ制御方法による選局制御処理を実行するテレビ受信機は、上記第２および第３の発明において、受け付けたチャンネルコードを記憶する機能を有し、ネットワークキーを操作された場合に、記憶しておいたチャンネルコードと同じネットワークの場合は、記憶していたチャンネルを選局するという作用を有する。
【００２７】
以上により、テレビ受信機でチャンネルキーのリモコンコードを受信した時に、現在視聴中の放送ネットワークとは異なる放送ネットワークのチャンネルコードかどうかを判断し、異なる場合は、例えば、“ＢＳＤ３に切換えようとしています。切換えてもいいですか？  はい／いいえ”のようなメッセージを表示し、使用者の選択により、切換えるかどうかを選択させる。“はい”の場合は、リモコンコードに従い選局し、“いいえ”を選択した場合は、放送ネットワークキーで“所望の放送ネットワークに切換えてからチャンネルキーを押下してください。”というメッセージを表示する。
【００２８】
また、視聴中の放送ネットワークとチャンネルコードの放送ネットワークが一致している場合は、チャンネルコードに従い選局する。
現在視聴中の放送ネットワークとは異なる放送ネットワークのチャンネルコードである場合に、メッセージを出し、使用者に選択させることにより、他の放送ネットワークを選局し、使用者を不快にしたり、惑わせることを回避することが可能となる。
（実施の形態１）
本発明の実施の形態１のテレビ制御方法を説明する。
【００２９】
図１は本実施の形態１のテレビ制御方法による選局制御処理を実行するテレビ受信機の構成を示すブロック図である。図１において、１０は使用者によるテレビ受信機のフロントパネルからのキー操作を解読するフロントパネルキー解読部、１１は使用者によるリモートコントローラからの送信コードを解読するリモコンコード解読部、２２は地上アナログチューナ、２３は地上デジタルチューナ、２４はＢＳデジタルチューナ、２５はＣＳデジタルチューナ、２０は地上アナログチューナ２２や地上デジタルチューナ２３、ＢＳデジタルチューナ２４、ＣＳデジタルチューナ２５からの映像／音声信号を切換える映像／音声入力切換部、２１は音声を出力するスピーカ、１７は映像／音声入力切換部２０からの映像を処理する映像信号処理部、１３はテレビ受信機の制御を行うテレビ制御部、１５はチャンネルコードを記憶する記憶装置、１４はテレビ制御部１３からの指示でオンスクリーン表示を行うオンスクリーン表示処理部、１６は時間管理を行うタイマー制御部、１２はイベント発生元やイベントの種類を判断するイベント管理部、１９は映像やオンスクリーンを表示する表示装置、１８はオンスクリーン表示処理部１４のＯＳＤと映像信号処理部１７の映像の合成を行う映像合成処理部である。
【００３０】
以上のように構成されたテレビ受信機における本実施の形態１のテレビ制御方法を以下に説明する。
図５は本実施の形態１のテレビ制御方法による制御手順を示すフローチャートである。図９は本実施の形態１のテレビ制御方法によるテレビ画面の表示状態を示す模式図である。
【００３１】
ＳＴＥＰ５１でイベントの発生を待ち、受信すればＳＴＥＰ５２に移り、イベント管理部１２によりイベントの発生元とイベントの内容を確認する。イベントがリモートコントローラからのものであり、かつチャンネルを示す数字キーのコードであればＳＴＥＰ５３に移る。ＳＴＥＰ５３では現在視聴中の放送ネットワークを取得し、ＳＴＥＰ５４において、現在視聴中の放送ネットワークと、イベントが指定するネットワークが一致するかを判断し、一致する場合は、ＳＴＥＰ５５において、イベントが指定する放送ネットワークのチャンネルを示す数字キーと同じ番号のプリセットテーブルから、その選局データを取得して、対応するチャンネルに切換えた後にＳＴＥＰ５６に移り、現在視聴中の放送ネットワークおよびチャンネルを記憶する。一方、ＳＴＥＰ５４において、現在視聴中の放送ネットワークと、イベントが指定するネットワークが一致しないと判断した場合は、ＳＴＥＰ５５の動作を行わずに無効化し、図９に示すように、リモコンコードを無視してテレビ画面は変化させずに、ＳＴＥＰ５６の処理を実行する。また、ＳＴＥＰ５２において、イベントがリモートコントローラからのものであるが、チャンネルを示す数字キーでないならばＳＴＥＰ５７に移り、その他のリモコンキーの処理を実行する。以上の処理の後にＳＴＥＰ５１へ戻り、上記の処理を繰り返すように動作する。
【００３２】
以上のように、本実施の形態１のテレビ制御方法によれば、使用者が意図していない放送ネットワークを選局しないことで、使用者を不快にしたり、惑わされることを防ぐことができる。
（実施の形態２）
本発明の実施の形態２のテレビ制御方法を説明する。
【００３３】
図６は本実施の形態２のテレビ制御方法による制御手順を示すフローチャートである。図１０は本実施の形態２のテレビ制御方法によるテレビ画面の表示状態を示す模式図である。なお、図１に示して説明した構成については実施の形態１と同様であるので、詳細の説明は省略する。
【００３４】
ＳＴＥＰ６１でイベントの発生を待ち、受信すればＳＴＥＰ６２に移り、イベント管理部１２によりイベントの発生元とイベントの内容を確認する。イベントがリモートコントローラからのものであり、かつチャンネルを示す数字キーのコードであればＳＴＥＰ６３に移る。ＳＴＥＰ６３では現在視聴中の放送ネットワークを取得し、ＳＴＥＰ６４において、現在視聴中の放送ネットワークと、イベントが指定するネットワークが一致するかを判断し、一致する場合は、ＳＴＥＰ６５において、イベントが指定する放送ネットワークのチャンネルを示す数字キーと同じ番号のプリセットテーブルから、その選局データを取得して、対応するチャンネルに切換えた後にＳＴＥＰ６６に移り、現在視聴中の放送ネットワークおよびチャンネルを記憶する。一方、ＳＴＥＰ６４において、現在視聴中の放送ネットワークと、イベントが指定するネットワークが一致しないと判断した場合は、ＳＴＥＰ６８に移り、図１０に示すようなメッセージパネルを表示し、ＳＴＥＰ６５の動作は行わずに無効化し、ＳＴＥＰ６６の処理を実行する。また、ＳＴＥＰ６２において、イベントがリモートコントローラからのものであるが、チャンネルを示す数字キーでないならばＳＴＥＰ６７に移り、その他のリモコンキーの処理を実行する。以上の処理の後にＳＴＥＰ６１へ戻り、上記の処理を繰り返すように動作する。
【００３５】
以上のように、本実施の形態２によれば、リモートコントローラとテレビ装置の放送ネットワークの状態が異なっていることを使用者に通知し、希望したチャンネルに切換える方法を表示することで、使用者を不快にしたり、惑わされることを防ぐことができる。
（実施の形態３）
本発明の実施の形態３のテレビ制御方法を説明する。
【００３６】
図７は本実施の形態３のテレビ制御方法による制御手順を示すフローチャートである。図１１は本実施の形態３のテレビ制御方法によるテレビ画面の表示状態を示す模式図である。なお、図１に示して説明した構成については実施の形態１と同様であるので、詳細の説明は省略する。
【００３７】
ＳＴＥＰ７１でイベントの発生を待ち、受信すればＳＴＥＰ７２に移り、イベント管理部１２によりイベントの発生元とイベントの内容を確認する。イベントがリモートコントローラからのものであり、かつチャンネルを示す数字キーのコードであればＳＴＥＰ７３に移る。ＳＴＥＰ７３では現在視聴中の放送ネットワークを取得し、ＳＴＥＰ７４において、現在視聴中の放送ネットワークと、イベントが指定するネットワークが一致するかを判断し、一致する場合は、ＳＴＥＰ７５において、イベントが指定する放送ネットワークのチャンネルを示す数字キーと同じ番号のプリセットテーブルから、その選局データを取得して、対応するチャンネルに切換えた後にＳＴＥＰ７６に移り、現在視聴中の放送ネットワークおよびチャンネルを記憶する。一方、ＳＴＥＰ７４において、現在視聴中の放送ネットワークと、イベントが指定するネットワークが一致しないと判断した場合は、ＳＴＥＰ７８に移り、図１１に示すような切換えパネルを表示し、この表示に対して、ＳＴＥＰ７９において「はい」を選択した場合は、ＳＴＥＰ７５に移り、イベントが指定する放送ネットワークのチャンネルキーと同じ番号のプリセットテーブルから選局データを取得し、その選局データに対応するチャンネルに切換える。またＳＴＥＰ７９において「いいえ」を選択した場合は、ＳＴＥＰ７５の動作は行わずに無効化し、ＳＴＥＰ７６の処理を実行する。また、ＳＴＥＰ７２において、イベントがリモートコントローラからのものであるが、チャンネルを示す数字キーでないならばＳＴＥＰ７７に移り、その他のリモコンキーの処理を実行する。以上の処理の後にＳＴＥＰ７１へ戻り、上記の処理を繰り返すように動作する。
【００３８】
以上のように、本実施の形態３によれば、使用者が動作を選択することで、使用者を不快にしたり、惑わされることを防ぐことができる。
（実施の形態４）
本発明の実施の形態４のテレビ制御方法を説明する。
【００３９】
図１２は本実施の形態４のテレビ制御方法によるテレビ画面の表示状態を示す模式図である。
実施の形態２および実施の形態３において表示したメッセージパネルに対して、図１２に示すように、一定の時間（例えば５秒間）操作が無かった場合は、図７のＳＴＥＰ７９において「はい」を選択した場合と同様に、図７のＳＴＥＰ７５の動作を行い、イベントが指定する放送ネットワークのチャンネルキーと同じ番号のプリセットテーブルから選局データを取得し、その選局データに対応するチャンネルに切換える。その他は、実施の形態２および実施の形態３の場合と同様に動作する。
【００４０】
以上のように、本実施の形態４によれば、表示したメッセージパネルをタイムアウトさせ、選局動作を行うことで、使用者を不快にしたり、惑わされることを防ぐことができる。
（実施の形態５）
本発明の実施の形態５のテレビ制御方法を説明する。
【００４１】
図８は本実施の形態５のテレビ制御方法による制御手順を示すフローチャートである。図１３は本実施の形態５のテレビ制御方法によるテレビ画面の表示状態を示す模式図である。なお、図１に示して説明した構成については実施の形態１と同様であるので、詳細の説明は省略する。
【００４２】
ＳＴＥＰ８１でイベントの発生を待ち、受信すればＳＴＥＰ８２に移り、イベント管理部１２によりイベントの発生元とイベントの内容を確認する。イベントがリモートコントローラからのものであり、かつチャンネルを示す数字キーのコードであればＳＴＥＰ８９に移る。ＳＴＥＰ８９では現在視聴中の放送ネットワークを取得し、ＳＴＥＰ９０において、現在視聴中の放送ネットワークと、イベントが指定するネットワークが一致するかを判断し、一致する場合は、ＳＴＥＰ９１において、イベントが指定する放送ネットワークのチャンネルを示す数字キーと同じ番号のプリセットテーブルから、その選局データを取得して、対応するチャンネルに切換えた後にＳＴＥＰ８７に移り、現在視聴中の放送ネットワークおよびチャンネルを記憶する。一方、ＳＴＥＰ９０において、現在視聴中の放送ネットワークと、イベントが指定するネットワークが一致しないと判断した場合は、ＳＴＥＰ９２に移り、図１３に示すように、放送ネットワークのチャンネルキーを記憶する。また、ＳＴＥＰ８２において、イベントがリモートコントローラからのものであるが、チャンネルを示す数字キーでないならばＳＴＥＰ８３に移り、リモートコントローラの放送ネットワークの切換え用キーかを確認し、放送ネットワークの切換え用キーであればＳＴＥＰ８４に移り、ＳＴＥＰ９２で記憶した放送ネットワークのチャンネルを示す数字キーがあるか判断し、記憶している場合はＳＴＥＰ８５に移り、図１３に示すように、切換え用キーのコードに従って放送ネットワークを切換え、記憶してあるチャンネルを選局した後に、ＳＴＥＰ８７で現在視聴中の放送ネットワークおよびチャンネルを記憶する。また、ＳＴＥＰ８４において、ＳＴＥＰ９２で記憶した放送ネットワークのチャンネルを示す数字キーがないと判断した場合は、ＳＴＥＰ８６に移り、放送ネットワークのみを切換えた後に、ＳＴＥＰ８７で現在視聴中の放送ネットワークおよびチャンネルを記憶する。また、ＳＴＥＰ８３で放送ネットワークの切換え用キーでないと判断した場合ＳＴＥＰ８８に移り、その他のリモコンキーの処理を実行する。以上の処理の後にＳＴＥＰ８１へ戻り、上記の処理を繰り返すように動作する。
【００４３】
以上のように、本実施の形態５によれば、一度押下された放送ネットワークのチャンネルキーを記憶しておくことで、使用者は、次に放送ネットワークキーを用いて放送ネットワークの切換え操作を行うだけで、希望のチャンネルを選局することができる。
【産業上の利用可能性】
【００４４】
本発明のテレビ制御方法は、リモートコントローラを用いて、現在視聴中の放送ネットワーク上で他のチャンネルを視聴する場合や、現在視聴中の放送ネットワークとは異なる放送ネットワークのチャンネルを視聴する場合でも、そのような選局操作を容易化することができ、それらの選局操作上で使用者が受ける不快感や惑わせることを回避することができるもので、ヒューマンインターフェースとして、複数の放送ネットワークに対応するチャンネル選局動作機能を有するテレビ装置等に適用できる。
【図面の簡単な説明】
【００４５】
【図１】本発明の各実施の形態のテレビ制御方法による選局制御処理を実行するテレビ受信機の構成を示すブロック図
【図２】従来のリモコンの構成を示す外観図および制御手順を示すフローチャート
【図３】従来のテレビ制御方法による制御手順を示すフローチャート
【図４】従来のテレビ制御方法によるテレビ画面の表示状態を示す模式図
【図５】本発明の実施の形態１のテレビ制御方法による制御手順を示すフローチャート
【図６】本発明の実施の形態２のテレビ制御方法による制御手順を示すフローチャート
【図７】本発明の実施の形態３および４のテレビ制御方法による制御手順を示すフローチャート
【図８】本発明の実施の形態５のテレビ制御方法による制御手順を示すフローチャート
【図９】本発明の実施の形態１のテレビ制御方法によるテレビ画面の表示状態を示す模式図
【図１０】本発明の実施の形態２のテレビ制御方法によるテレビ画面の表示状態を示す模式図
【図１１】本発明の実施の形態３のテレビ制御方法によるテレビ画面の表示状態を示す模式図
【図１２】本発明の実施の形態４のテレビ制御方法によるテレビ画面の表示状態を示す模式図
【図１３】本発明の実施の形態５のテレビ制御方法によるテレビ画面の表示状態を示す模式図
【符号の説明】
【００４６】
１０    フロントパネルキー解読部
１１    リモコンコード解読部
１２    イベント管理部
１３    テレビ制御部
１４    オンスクリーン表示処理部
１５    記憶装置
１６    タイマー制御部
１７    映像信号処理部
１８    映像合成処理部
１９    表示装置
２０    映像／音声入力切換部
２１    スピーカ
２２    地上アナログチューナ
２３    地上デジタルチューナ
２４    ＢＳデジタルチューナ
２５    ＣＳデジタルチューナ
【図１】
2006060627.tif 000003
【図２】
2006060627.tif 000004
【図３】
2006060627.tif 000005
【図４】
2006060627.tif 000006
【図５】
2006060627.tif 000007
【図６】
2006060627.tif 000008
【図７】
2006060627.tif 000009
【図８】
2006060627.tif 000010
【図９】
2006060627.tif 000011
【図１０】
2006060627.tif 000012
【図１１】
2006060627.tif 000013
【図１２】
2006060627.tif 000014
【図１３】
2006060627.tif 000015